(57)【要約】【課題】海底地盤に打設された基礎支柱の上端にコンクリート床版が設置され、隣り合うコンクリート床版の間の目地に目地材が取り付けられている桟橋において、台風や強風時の高波に対して目地材を確実に保持することができる桟橋構造およびその構築方法を提供する。【解決手段】保護板２３が吊り降ろし用部材２２で上方から引っ張られた状態でコンクリート床版３の下面に当接しており、この保護板２２によって目地１１の下端が塞がれていて、高波が目地１１に浸入するのを遮断するようになっている。【選択図】図４
2014163204.tif 000002
【特許請求の範囲】
【請求項１】
海底地盤に打設された基礎支柱の上端にコンクリート床版が設置され、隣り合うコンクリート床版の間の目地に目地材が取り付けられている桟橋において、コンクリート床版の下面に目地の下端を塞ぐ保護部材が設置されていることを特徴とする桟橋構造。
【請求項２】
請求項１に記載の桟橋構造を構築するための構築方法であって、保護部材に吊り降ろし用部材の一端を取り付けて、保護部材を目地の上端から吊り降ろし、保護部材が目地を通り抜けたら、前記吊り降ろし用部材によって保護部材を引き上げて、保護部材をコンクリート床版の下面に接地させて目地の下端を塞ぐとともに、前記吊り降ろし用部材の他端をコンクリート床版の上部に固定した後、目地に目地材を取り付けることを特徴とする桟橋構造の構築方法。
【発明の詳細な説明】
【技術分野】
【０００１】
本発明は、桟橋構造およびその構築方法に関するものである。
【背景技術】
【０００２】
桟橋として、図７に示すように、海底地盤４に打設されて上端部が海面５から突き出している基礎支柱２の上端にコンクリート床版３を設置してなる桟橋１がある（例えば、特許文献１、２参照）。
【０００３】
このようなコンクリート床版３を有する桟橋１では、ひび割れ防止等のために、一定スパン毎に、隣り合うコンクリート床版３とコンクリート床版３の間に目地（隙間）１１が設けられている。
【０００４】
図８は目地１１の付近を拡大した図であり、目地１１の幅δは３０〜５０ｍｍ程度であり、目地１１の上端部には、遮水等のために、目地の間詰め材（目地材）１２が取り付けられている。目地材１２としては、アスファルト系、発泡樹脂系、ファイバー系、ゴム系等の材料が使われている。
【先行技術文献】
【特許文献】
【０００５】
【特許文献１】特開平７−３３１６３２号公報
【特許文献２】特開２０００−２４８５２６号公報
【発明の概要】
【発明が解決しようとする課題】
【０００６】
しかしながら、隣り合うコンクリート床版３の間の目地１１に取り付けられた目地材１２は、一般的に材料としてアスファルト系、発泡樹脂系、ファイバー系、ゴム系等が用いられるため、目地材１２とコンクリート床版３との摩擦力は小さく、台風や強風時の高波が目地１１を通過して浸入し、目地材１２に揚力が作用すると、目地材１２が目地１１から外れたり、破損したりすることがある。目地材１２が目地１１から外れたり、破損したりすると、目地材１２による遮水機能が失われることになる。
【０００７】
目地材１２による遮水機能が失われると、例えば、次のような問題が生じる。すなわち、桟橋上に滞留する荷揚げ設備等の洗浄水等は桟橋上のピットや水路等に集水した後、定められた系統を通して排水されることになっているが、目地材１２が目地１１から外れたり、破損したりして、遮水機能が失われると、洗浄水が目地１１を通過して直接海面に排出される可能性が生じる。
【０００８】
これに対して、これまで、高波の揚力に対抗するために、図９に示すように、目地１１の両側のコンクリート床版３の上面部分を一部切り欠いて、アスファルト合材もしくはセメントモルタルによる押さえ部材１３を設置したり、図１０に示すように、コンクリート床版３の上面に鋼板による押さえ部材１４をアンカーボルト１５で固定したりすることが行われているが、いずれも高波の揚力に対抗できずに、押さえ部材１３が外れたり、押さえ部材１４が折れ曲がったりして、目地材１２を保持することができず、十分な効果を発揮するには至っていない。
【０００９】
本発明は、上記のような事情に鑑みてなされたものであり、海底地盤に打設された基礎支柱の上端にコンクリート床版が設置され、隣り合うコンクリート床版の間の目地に目地材が取り付けられている桟橋において、台風や強風時の高波に対して目地材を確実に保持することができる桟橋構造およびその構築方法を提供することを目的とするものである。
【課題を解決するための手段】
【００１０】
上記課題を解決するために、本発明者らは鋭意検討した結果、これまでのように、目地材に作用する高波の揚力に押さえ部材で対抗するのではなく、高波の揚力を目地材に直接作用させないようにすればよいとの考えに至った。
【００１１】
本発明は上記の考えに基づいており、以下の特徴を有している。
【００１２】
［１］海底地盤に打設された基礎支柱の上端にコンクリート床版が設置され、隣り合うコンクリート床版の間の目地に目地材が取り付けられている桟橋において、コンクリート床版の下面に目地の下端を塞ぐ保護部材が設置されていることを特徴とする桟橋構造。
【００１３】
［２］前記［１］に記載の桟橋構造を構築するための構築方法であって、保護部材に吊り降ろし用部材の一端を取り付けて、保護部材を目地の上端から吊り降ろし、保護部材が目地を通り抜けたら、前記吊り降ろし用部材によって保護部材を引き上げて、保護部材をコンクリート床版の下面に当接させて目地の下端を塞ぐとともに、前記吊り降ろし用部材の他端をコンクリート床版の上部に固定した後、目地に目地材を取り付けることを特徴とする桟橋構造の構築方法。
【発明の効果】
【００１４】
本発明においては、コンクリート床版の下面に目地の下端を塞ぐ保護部材を設置するようにしているので、台風や強風時でも高波の揚力が目地材に直接作用することがなくなり、高波に対して目地材を確実に保持することができる。
【図面の簡単な説明】
【００１５】
【図１】本発明の実施形態１における桟橋構造を示す図である。
【図２】本発明の実施形態１における桟橋構造の構築方法を示す図である。
【図３】本発明の実施形態２における桟橋構造の構築方法を示す図である。
【図４】本発明の実施形態２における桟橋構造を示す図である。
【図５】本発明の実施形態２において用いる保護板の一例を示す図である。
【図６】本発明の実施形態２において用いる保護板の他の例を示す図である。
【図７】桟橋の基本構造を示す図である。
【図８】目地の付近の拡大図である。
【図９】従来技術を示す図である。
【図１０】従来技術を示す図である。
【発明を実施するための形態】
【００１６】
本発明の実施形態を図面に基づいて説明する。なお、本発明の実施形態における桟橋の基本構造は、図７に示したものと同様である。すなわち、海底地盤４に打設されて上端部が海面５から突き出している基礎支柱２の上端にコンクリート床版３が設置され、隣り合うコンクリート床版３の間の目地１１に目地材１２が取り付けられている。
【００１７】
［実施形態１］
図１は、本発明の実施形態１における桟橋構造を示す。
【００１８】
図１に示すように、この実施形態１においては、コンクリート床版３の下面に保護部材（保護板１６）がアンカーボルト１７で固定されおり、その保護板１６によって、目地１１の下端が塞がれている。
【００１９】
図２は、上記のように保護板１６を設置する際の構築方法（施工方法）を示すものである。図２に示すように、海上工事として、コンクリート床版３の下方に仮設の吊り足場１８を設置し、吊り足場１８上からコンクリート床版３の下面に保護板１６を取り付ける。
【００２０】
このようにして、この実施形態１においては、台風や強風時でも、高波が目地１１に浸入するのを保護板１６が遮断するので、高波の揚力が目地材１２に直接作用することがなくなり、高波に対して目地材１２を確実に保持することができるようになる。
【００２１】
［実施形態２］
上記の実施形態１の場合、仮設の吊り足場１８を設置しての海上工事となるため、工期の長期化や荷役作業への支障が懸念される。
【００２２】
そこで、この実施形態２は、コンクリート床版３上からの作業によって構築できるようにしたものである。
【００２３】
図３は、この実施形態２における構築方法（施工方法）を示すものであり、以下の（Ｓ１）〜（Ｓ３）の手順によって行う。
【００２４】
（Ｓ１）まず、図３（ａ）に示すように、保護板２１の中央部近傍に吊り降ろし用部材２２の一端を取り付けて止め具２３で固定する。なお、吊り降ろし用部材２２としては、鎖、チェーン、ロープ等を用いる。
【００２５】
（Ｓ２）次に、図３（ｂ）に示すように、吊り降ろし用部材２２を用いて、保護板２１を目地１１の上端から目地１１の下端に向かって徐々に吊り降ろす。
【００２６】
（Ｓ３）次に、図３（ｃ）に示すように、保護板２１が目地１１を通り抜けたら、図３（ｄ）に示すように、吊り降ろし用部材２２によって保護板２１を引き上げて、保護板２１をコンクリート床版３の下面に当接させて目地１１の下端を塞ぐとともに、コンクリート床版３の上面部分を一部切り欠いて、その切り欠いたコンクリート床版３の上部に吊り降ろし用部材２２の他端をアンカーボルト２４で固定して、その上にコンクリート２５を打設する。その際、コンクリート床版３の下面に保護板２１が安定して当接するように、吊り降ろし用部材２２に張力を持たせた状態で固定する。そして、目地１１の上端部に目地材１２を取り付ける。
【００２７】
なお、保護板２１、吊り降ろし用部材２２、止め具２３等は、海水に対する耐食性の高い材料もしくは耐食処理を施した材料を用いる。
【００２８】
図４は、上記のような構築方法によって構築した桟橋構造を示すものである（ちなみに、図３（ｄ）と同じものである）。
【００２９】
図４に示すように、この実施形態２における桟橋構造では、保護部材（保護板２１）が吊り降ろし用部材２２で上方から引っ張られた状態でコンクリート床版３の下面に当接しており、その保護板２１によって、目地１１の下端が塞がれている。
【００３０】
このようにして、この実施形態２においては、台風や強風時でも、高波が目地１１に浸入するのを保護板２１が遮断するので、高波の揚力が目地材１２に直接作用することがなくなり、高波に対して目地材１２を確実に保持することができるようになる。しかも、コンクリート床版３上からの作業によって構築できるので、工期が短くて済むとともに、荷役作業への支障もほとんど無い。
【００３１】
なお、この実施形態２において用いる保護板２１の例を図５、図６に示す。
【００３２】
図５に示す保護板２１Ａは、図５（ａ）に示すように、保護板本体３１に対して板幅端部から板幅中央３１ａまでスリット３２が設けられている。そして、図５（ｂ）に示すように、スリット３２を利用して、板幅中央３１ａに吊り降ろし用部材２２の一端を止め具２３で固定している。なお、保護板２１Ａを吊り降ろす際に、吊り降ろし用部材２２がスリット３２から抜け落ちないようにするために、スリット３２の開端部側にウエイトバランス材３３を取り付けて、スリット３２の開端部側が常に下方になるように調整している。
【００３３】
また、図６に示す保護板２１Ｂは、図６（ａ）に示すように、保護板本体３５に対して板幅中央３５ａに孔３６が設けられている。そして、図６（ｂ）に示すように、孔３６を利用して、板幅中央３５ａに吊り降ろし用部材２２の一端を止め具２３で固定している。
【符号の説明】
【００３４】
１  桟橋
２  基礎支柱
３  コンクリート床版
４  海底地盤
５  海面
１１  目地
１２  目地材
１３  押さえ部材
１４  押さえ部材
１５  アンカーボルト
１６  保護板
１７  アンカーボルト
１８  吊り足場
２１  保護板
２１Ａ  保護板
２１Ｂ  保護板
２２  吊り降ろし用部材
２３  止め具
２４  アンカーボルト
２５  コンクリート
３１  保護板本体
３１ａ  保護板本体の板幅中央
３２  スリット
３３  ウエイトバランス材
３５  保護板本体
３５ａ  保護板本体の板幅中央
３６  孔
【図１】
2014163204.tif 000003
【図２】
2014163204.tif 000004
【図３】
2014163204.tif 000005
【図４】
2014163204.tif 000006
【図５】
2014163204.tif 000007
【図６】
2014163204.tif 000008
【図７】
2014163204.tif 000009
【図８】
2014163204.tif 000010
【図９】
2014163204.tif 000011
【図１０】
2014163204.tif 000012